(57)【特許請求の範囲】
【請求項１】
穀稈を刈取る前処理部と、該前処理部で刈取った穀稈を脱穀して選別する脱穀装置と、該脱穀装置で脱穀された排稈を後処理する後処理装置と、機体の後方に配置される左右一対の後部方向指示器と、を備えるコンバインにおいて、
前記脱穀装置の側方を覆うと共に、上端部において上下方向に回動自在に支持されるサイドカバーを備え、
前記後処理装置は、その一端部を前記脱穀装置の後方側端に設けられた回動支持部で上下方向を軸方向として軸支されると共に、前記回動支持部の上方から前記回動支持部に対して抜差しされることで着脱自在に連結され、
前記左右一対の後部方向指示器の一方は、前記サイドカバーの後端部に設けられて前記回動支持部の上方に配置されると共に、前記サイドカバーを上方に回動させて開く操作に伴って、前記後処理装置を着脱する際の前記後処理装置との接触を回避する位置に移動可能に設けられてなる、
ことを特徴とするコンバイン。
【発明の詳細な説明】
【技術分野】
【０００１】
本発明は、コンバインの後部に取付けられる方向指示器の取付け構造に関する。
【背景技術】
【０００２】
一般に、コンバインには、一般車両と同様に公道を走行するために尾灯や方向指示器などの保安部品が取付けられており、コンバインで公道を走行する際は、一般車両と同じく尾灯や方向指示器を点灯、点滅させて走行する。
【０００３】
また、コンバインには、脱穀装置で脱穀処理された排稈等を堆肥として圃場に散布するためカッター等の後処理装置が機体の後方に取付けられ、この後処理装置で細断した排稈等を圃場に排出しながら刈取り作業が行われる。
【０００４】
従来、後処理装置が機体の後部側端に設けられた回動支点軸により脱穀装置の後方に回動自在に連結されたコンバインが案出されている（例えば、特許文献１及び特許文献２参照）。
【先行技術文献】
【特許文献】
【０００５】
【特許文献１】特開平１０−２１５６５８号公報
【特許文献２】特開２００６−１０９７０６号公報
【発明の概要】
【発明が解決しようとする課題】
【０００６】
しかしながら、上記特許文献１及び特許文献２に記載のコンバインのような、後処理装置を脱穀装置の後方に連結するコンバインにあっては、方向指示器ユニットを回動支点軸の上方に設けると、メンテナンス等により後方処理装置を回動支点軸に取付け、取外す際に、方向指示器ユニットによってその取付け、取外し作業が困難となって、後処理装置を脱穀装置に着脱することが面倒であり、また該脱穀処理装置をカッターに代えてノッタやドロッパ等の他のものに交換することが面倒であった。
【０００７】
そこで本発明は、後処理装置との干渉を回避するように方向指示器ユニットを退避可能に設け、もって上記課題を解決したコンバインを提供することを目的とする。
【課題を解決するための手段】
【０００８】
本発明は、穀稈を刈取る前処理部（５）と、該前処理部（５）で刈取った穀稈を脱穀して選別する脱穀装置（７）と、該脱穀装置（７）で脱穀された排稈を後処理する後処理装置（１１）と、機体の後方に配置される左右一対の後部方向指示器と、を備えるコンバイン（１）において、
前記脱穀装置（７）の側方を覆うと共に、上端部（４８）において上下方向に回動自在に支持されるサイドカバー（４７）を備え、
前記後処理装置（１１）は、その一端部を前記脱穀装置（７）の後方側端に設けられた回動支持部（４３）で上下方向を軸方向として軸支されると共に、前記回動支持部（４３）の上方から前記回動支持部に対して抜差しされることで着脱自在に連結され、
前記左右一対の後部方向指示器の一方（５２）は、前記サイドカバー（４７）の後端部に設けられて前記回動支持部（４３）の上方に配置されると共に、前記サイドカバー（４７）を上方に回動させて開く操作に伴って、前記後処理装置（１１）を着脱する際の前記後処理装置（１１）との接触を回避する位置に移動可能に設けられてなる。
【０００９】
また、一方の後部方向指示器（５０）は、前記脱穀装置（７）の側方を覆う開閉自在なサイドカバー（４７）に設けられる。
【００１０】
なお、上記カッコ内の符号は、図面と対照するためのものであるが、これにより特許請求の範囲の記載に何等影響を及ぼすものではない。
【発明の効果】
【００１１】
請求項１に係る発明によると、後処理装置を脱穀装置の後部に着脱する際に、回動支持部の上方に配置される後部方向指示器ユニットを、後処理装置との接触を回避する位置に退避可能に設けたので、後処理装置を脱穀装置の後部に取付け、取り外しする際に、後部方向指示器が取付け、取り外し作業の障害になることなく容易に脱穀装置を着脱することができ、また、後処理装置のメンテナンス及び交換を容易に行うことができる。
【００１２】
また、請求項１に係る発明によると、一方の後部方向指示器を脱穀装置の側方を覆う開閉自在なサイドカバーに設けたので、容易に後部方向指示器を後処理装置との接触を回避する位置に退避することができる。
【図面の簡単な説明】
【００１３】
【図１】本実施の形態に係るコンバインの左側側面図。
【図２】後処理装置を脱穀装置に取付ける前の状態を示したコンバインの背面図。
【図３】後処理装置を脱穀装置に取付けた後の状態を示したコンバインの背面図。
【図４】その平面図。
【発明を実施するための形態】
【００１４】
以下、本発明の実施の形態に係るコンバインについて図面に沿って説明する。本実施の形態に係るコンバインは、図１に示すように、汎用型コンバインであり、左右一対の走行装置であるクローラ２に支持された機体３を有している。該機体３の前方には、穀稈を刈取る前処理部５が昇降自在に設けられており、該前処理部５の後方には、コンバイン１を操作するための運転操作部６が設けられている。運転操作部６の後方には、前処理部５で刈取った穀稈を脱穀して選別する脱穀装置７が設けられており、該脱穀装置７の隣には、図２に示すように、脱穀した穀粒を貯蔵するグレンタンク９が設けられている。該グレンタンク９の上方には、グレンタンク９内の穀粒を排出する排出オーガ１０が設けられており、脱穀装置７の後部には、脱穀処理された排稈を細断する後処理装置１１が設けられている。
【００１５】
前処理部５は、刈取作物と未刈取作物とに分けるデバイダ１２を前方に有しており、該デバイダ１２の上方には、複数のタインが取付けられた掻き込みリール１３が設けられている。該掻き込みリール１３の後方には、穀稈を搬送するプラットホームオーガ１５が進行方向と直交する横向きの状態で配設されており、該プラットホームオーガ１５の後方には、プラットホームオーガ１５によって搬送された穀稈を脱穀装置７まで搬送する搬送フィーダ１６が設けられている。
【００１６】
運転操作部６には、運転者が着座するための運転席１７が設けられている。該運転席１７の前方には操作パネル１９が設けられており、該操作パネル１９には、コンバイン１を操舵するための操作レバー２０が設けられている。また、運転席１７の側方には、サイドパネル２２が設けられており、該サイドパネル２２には、主変速レバー２３が設けられている。
【００１７】
脱穀装置７は、扱室２５を有しており、該扱室２５には、刈取られた穀稈を脱穀する扱胴２６が回転自在で内装されている。該扱胴２６には、ラセン形状した扱歯２７が巻回されている。該扱胴２６の下方には、唐箕ファン３０や揺動移動板３１、チャフシーブ３２、ラック３３、ストローラック３５、及びグレンシーブ３６等で構成される揺動選別体３７等を内装する選別室３９が設けられており、該選別室３９には、一番ラセン４０及び二番ラセン４１が進行方向に直交する横向きにそれぞれ配設されている。脱穀装置７は、主に、この扱室２５及び選別室３９から構成されており、また、脱穀装置７の後端左側には、後処理装置１１を脱穀装置７の後方に回動自在に連結するための回動支持部であるボス部４３が設けられている。
【００１８】
扱室２５の上方は回動自在に設けられた天板４５で覆われており、扱室２５の後部はリヤカバー４６で覆われている。扱室２５の左側側方は、略矩形形状したサイドカバー４７で覆われている。該サイドカバー４７の上端部には、ヒンジ部４８が設けられており、サイドカバー４７は、該ヒンジ部４８によって回動自在に設けられていると共に、扱室２５の左側側方はサイドカバー４７によって開閉自在に設けられている。また、サイドカバー４７には、図２及び図３に示すように、サイドカバー４７を上方（開き方向）に付勢するガススプリング４９が取付けられており、サイドカバー４７の後方側端部には、後部方向指示器５０及び尾灯５１を取り付けるための略矩形形状した取付カバー５３がサイドカバー４７と一体に形成されている。該取付カバー５３には、後部方向指示器５０及び尾灯５１が一体形成されて、正面視楕円形状に形成されたテールランプアッシ（後部方向指示器ユニット）５２が取付けられている。なお、テールランプアッシは機体後部に左右一対で配置されているが、上記テールランプアッシ５２は左側のアッシである。
【００１９】
後処理装置であるスプレッダーチョッパー１１は、脱穀装置７の後部に取付けた際に、脱穀装置７に面する一面及び圃場面と面する一面が開放された略立方体形状のカバー体５４を有しており、該カバー体５４内には、図２及び図３に示すように、脱穀装置７で脱穀処理された排稈を細断するロータリ細断爪５５が設けられている。該ロータリ細断爪５５は、カバー体５４内で回転自在に支持された回転軸５６に上下左右それぞれ対向するように複数の細断爪５７が取付けられている。また、カバー体５４の左側の一端部には、ボス部４３に嵌合する軸部であるピン５９が設けられており、スプレッダーチョッパー１１は、該ピン５９をボス部４３に下方に向けて挿入してピン５９とボス部４３とを嵌合することで脱穀装置７に回動自在に連結し、またピン５９をボス部４３から上方に向けて抜きその嵌合を解除することで脱穀装置７から取外すことができるように着脱自在に設けられている。その対向側の端部である右側端部には、図４に示すように、スプレッダーチョッパー１１を連結した際に、スプレッダーチョッパー１１を脱穀装置７の後部に固定するための固定ピン６０が設けられている。
【００２０】
次に、上記のように構成されたコンバイン１の動作について説明する。作業者は、コンバイン１で圃場での刈取り作業を行うが、この際刈取った排稈等を堆肥として圃場に散布するために、脱穀装置７の後部にスプレッダーチョッパー１１がアタッチメントとして取付けられている。
【００２１】
スプレッダーチョッパー１１の取付けは、図２に示す脱穀装置７に設けられたボス部４３にスプレッダーチョッパー１１に設けられたピン５９を嵌合させることで行われるが、この際作業者は、ボス部４３の上方に配置されたテールランプアッシ５２をスプレッダーチョッパー１１との接触を回避する位置である上方に移動させるためサイドカバー４７を開く。サイドカバー４７を開くとテールランプアッシ５２は、サイドカバー４７の回動と共に、上方に向って旋回しながら回避位置へと移動する。そして、作業者は、扱室２５を開放した状態（サイドカバー４７の開いた状態）で取付け作業を行う。
【００２２】
作業者は、スプレッダーチョッパー１１を脱穀装置７側に回動させて、固定ピン６０で脱穀装置７の後部に固定する。スプレッダーチョッパー１１を脱穀装置７に連結固定した後、作業者は、回避位置に移動させていたテールランプアッシ５２を元の位置に復帰（移動）させるためサイドカバー４７を閉じる。テールランプアッシ５２は、サイドカバー４７を閉じるとサイドカバー４７の回動と共に、上方の位置から下方に向って旋回しながら元の位置へと移動する。
【００２３】
スプレッダーチョッパー１１の連結後、作業者は、コンバイン１を圃場まで移動させて、作業開始位置から刈取り作業を開始する。刈取作業は、掻き込みリール１３を回転させながら行われ、掻き込みリール１３は、回転しながら穀稈を引き起こす。引き起された穀稈は刈刃で刈取られ、刈取られた穀稈は、プラットホームオーガ１５から搬送フィーダ１６に搬送された後、該搬送フィーダ１６よって扱室２５に搬送さる。扱室２５に搬送された穀稈は、回転する扱胴２６の扱歯２７によって籾等が扱ぎ落され、扱ぎ落された籾等は揺動選別体３７に落下する。
【００２４】
揺動選別体３７に落下した籾などの穀粒は、揺動選別体３７による揺動選別及び唐箕ファン３０等による風選別による選別によって、一番物と二番物とにそれぞれ選別される。ここで一番物とは、選別処理された穀粒であり、二番物とは、選別不十分でワラ屑や穂切れ粒などの夾雑物と穀粒とが混合した混合物である。一番物は、一番ラセン４０から一番揚穀装置（不図示）に搬送された後、該一番揚穀装置によってグレンタンク９まで搬送され、二番物は、二番ラセン４１から二番還元装置（不図示）に搬送された後、該二番還元装置によって二番還元ラセン（不図示）に搬送される。二番還元ラセンに搬送された二番物は、再選別を行うため、二番還元ラセンによって再び扱室２５に還元される。
【００２５】
脱穀装置７で脱穀処理された排稈等は、排塵口（不図示）からスプレッダーチョッパー１１に搬送され、搬送された排稈等は、回転するロータリ細断爪５５によって細かく細断されて排出口から圃場へと排出される。
【００２６】
スプレッダーチョッパー１１を脱穀装置７から取り外す際も、取付ける時と同様にサイドカバー４７を開けて、テールランプアッシ５２をスプレッダーチョッパー１１との接触を回避する位置に移動させた後、スプレッダーチョッパー１１の取外し作業を行い、作業終了後、サイドカバー４７を閉じてテールランプアッシ５２を元の位置へと移動させる。
【００２７】
上述のように、スプレッダーチョッパー１１をコンバイン１の脱穀装置７の後部に着脱する際に、ボス部４３の上方に配置されたテールランプアッシ５２を、更に上方の位置であるスプレッダーチョッパー１１との接触を回避する位置に移動可能に設けたので、スプレッダーチョッパー１１をテールランプアッシ５２に接触させることなく、容易に脱穀装置７の後部に着脱することができ、容易にスプレッダーチョッパー１１のメンテナンス及びその交換を行うことができる。また、テールランプアッシ５２を適正な位置に配置することもできる。
【００２８】
また、テールランプアッシ５２が取付けられる取付けカバー５３をサイドカバー４７の端部と一体に形成したので、テールランプアッシ５２をスプレッダーチョッパー１１との接触を回避する位置に容易に移動することができて、スプレッダーチョッパー１１の取付け、取り外し作業を迅速に行うことができる。
【００２９】
なお、本実施の形態では、テールランプアッシ５２が取付けられる取付カバー５３をサイドカバー４７の端部に一体に形成する構成としたが、これに限らず、例えばテールランプアッシ５２が取付けられた取付カバー５３を扱室２５の後部を覆うリヤカバー４６と一体に形成し、リヤカバーを開閉自在に設けることでテールランプアッシ５２をスプレッダーチョッパー１１との接触を回避する位置に移動可能に設ける構成であってもよい。
【００３０】
また、テールランプアッシ５２が取付けられた取付カバー５３をサイドカバー４７の端部に一体に形成する構成としたが、これに限らず、例えばテールランプアッシ５２自体を直接サイドカバー４７の端部と一体に形成する構成であってもよい。
【００３１】
また、後部方向指示器ユニット（テールランプアッシ）は、後部方向指示器５０と尾灯５１とのユニットからなるが、これに限らず、例えば後部方向指示器５０のみの構成であってよい。
【符号の説明】
【００３２】
１      コンバイン
５      前処理部
７      脱穀装置
１１    後処理装置（スプレッダーチョッパー）
４３    回動支持部（ボス部）
４７    サイドカバー
５０    後部方向指示器
５２    後部方向指示器ユニット（テールランプアッシ）
【図１】
0005870422.tif 000002
【図２】
0005870422.tif 000003
【図３】
0005870422.tif 000004
【図４】
0005870422.tif 000005